(57)【要約】      （修正有）【課題】浸透探傷検査の乾式現像処理工程において、噴霧適用する乾式現像剤を安定的・定量的に供給し、噴霧の際に使用する圧縮エアに含まれる水分による乾式現像剤の湿潤をなくすことが出来る、乾式現像剤供給装置を提供する。【解決手段】現像剤容器１、スクリューフィーダー２、インジェクター４、キャップ３、バイブレーター５からなる構造により、噴霧適用する乾式現像剤を安定的・定量的に供給でき、かつ噴霧の際に使用する圧縮エアに含まれる水分による乾式現像剤の湿潤をなくすことができる。【選択図】図１
0003233414.tif 000002
【実用新案登録請求の範囲】
【請求項１】
浸透探傷検査で使用する乾式現像装置に対して、乾式現像剤を安定的・定量的に供給する乾式現像剤供給装置であって、乾式現像剤を供給するスクリューフィーダー、乾式現像剤を吸引噴霧するためのインジェクター、スクリューフィーダーとインジェクターを接続するキャップ、乾式現像剤を入れるための現像剤容器、現像剤容器に取り付けられたバイブレーターから構成されていることを特徴とする乾式現像剤供給装置。
【請求項２】
前記スクリューフィーダー、キャップにより乾式現像剤を定量的に供給することを特徴とする請求項１の乾式現像剤供給装置。
【請求項３】
現像剤容器内の乾式現像剤を圧縮エアに曝露させないことにより乾式現像剤の湿潤を抑えることを特徴とする請求項１の乾式現像剤供給装置。
【考案の詳細な説明】
【技術分野】
【０００１】本考案は浸透探傷検査の乾式現像処理工程において噴霧適用する乾式現像剤を安定的・定量的に供給し、かつ噴霧の際に使用する圧縮エアに含まれる水分による乾式現像剤の湿潤をなくすことができる乾式現像剤供給装置に関する。
【背景技術】
【０００２】一般的に多く使用されている乾式現像剤供給装置（方法）は次項の３種類である。【０００３】▲１▼乾式現像装置（Ｂ）の底部に乾式現像剤（Ｄ）を溜め、そこに圧縮エアを噴射し、乾式現像装置（Ｂ）内に乾式現像剤（Ｄ）を噴霧する方式（図２）
▲２▼乾式現像剤（Ｄ）を入れた容器内に圧縮エアを噴射し現像剤を舞い立たせる。このとき容器は与圧されるため、舞い立った乾式現像剤（Ｄ）は乾式現像装置（Ｂ）と接続されたホースを通じ乾式現像装置（Ｂ）内に噴霧される構造の装置（図３）
▲３▼乾式現像剤（Ｄ）を入れた容器の底から微量の圧縮エアを噴射し、乾式現像剤（Ｄ）が流動しやすい状態にしたうえでインジェクターにより吸引し乾式現像装置（Ｂ）内に噴霧する装置（図４）
【先行技術文献】
【非特許文献】
【非特許文献】社団法人日本非破壊検査協会発行  〔非破壊検査技術シリーズ〕浸透探傷試験ＩＩ  第６項
【考案の概要】
【考案が解決しようとする課題】
【０００４】前項▲１▼▲２▼の乾式現像剤供給装置（方法）によれば、圧縮エアを乾式現像剤に噴射した際に舞い立つ乾式現像剤量は一定ではなく、また前項▲３▼の方式においてはインジェクターの吸引力はインジェクター前後の配管の長さや曲がりなどに影響を受ける。このため噴霧量は乾式現像装置内や現像剤容器内の現像剤の量や装置構成・エア圧力などに影響を受け現像剤の定量的な調整が行えないという問題が生じていた。いずれの場合においても噴霧量の調整は圧縮エアの圧力・散布時間によって行うため、直接的かつ定量的な調整を行うことが出来ない構造となっている。【０００５】この問題は特に少量噴霧を行うときに顕著になる。【０００６】また乾式現像剤が圧縮エアに曝露されることにより圧縮エア内の水分が乾式現像剤を湿潤させ、乾式現像剤の劣化・固まり・現像剤供給装置内での詰まりが生じる問題が生じていた。【０００７】本考案は、かかる問題に鑑み、浸透探傷検査の乾式現像処理工程において噴霧適用する乾式現像剤を安定的・定量的に供給できること、圧縮エアに含まれる水分による乾式現像剤の湿潤を防ぐことを目的とする。
【課題を解決するための手段】
【０００８】以下、添付図面１にしたがって課題を解決するための手段を説明する。
本考案にかかる乾式現像剤供給装置は、上記目的を達成するために、
現像剤容器（１）、乾式現像剤（Ｄ）を供給するスクリューフィーダー（２）、乾式現像剤（Ｄ）を吸引噴霧するためのインジェクター（４）、スクリューフィーダー（２）とインジェクター（４）を接続するキャップ（３）、現像剤容器（１）、現像剤容器からスクリューフィーダー（２）への乾式現像剤供給を促進するためのバイブレーター（５）から構成されていることを特徴とする。【０００９】スクリューフィーダー（２）は回転数による乾式現像剤の送り量が一定となっており、スクリューフィーダー（２）の回転速度・回転時間を決定することにより乾式現像剤の定量供給を実現することが出来る。【００１０】本考案において圧縮エアはインジェクター（４）およびバイブレーター（５）の作動にのみ使用されるため、現像剤容器（１）内の乾式現像剤（Ｄ）の圧縮エアへの曝露がないため、圧縮エアに含まれる水分による乾式現像剤の湿潤を防ぐことを実現することが出来る。
【考案の効果】
【００１１】以下、添付図面１にしたがって考案の効果を説明する。
本考案にかかる乾式現像剤供給装置によれば、回転速度・回転時間を任意に設定できるスクリューフィーダー（２）により噴霧する乾式現像剤（Ｄ）を定量的にキャップ（３）側に送り込むことが出来、その全量をインジェクター（４）で吸引させることで乾式現像剤（Ｄ）を定量的に噴霧することを実現する。【００１２】乾式現像剤（Ｄ）の供給量はスクリューフィーダー（２）の回転時間もしくは回転回数のみで決定されるため、噴霧量が安定的・定量的かつ容易に調整することが出来る。
また少量噴霧から大量噴霧まで安定して散布を行うことが出来る。【００１３】現像剤容器（１）の中の乾式現像剤（Ｄ）を圧縮エアに曝露させないことで乾式現像剤（Ｄ）の湿潤を抑えることが出来る。
【図面の簡単な説明】
【００１４】
【図１】本考案の乾式現像剤供給装置の実施例を示す構造図である。
【図２】一般的に多く使用されている乾式現像剤供給装置（方法）▲１▼
【図３】一般的に多く使用されている乾式現像剤供給装置（方法）▲２▼
【図４】一般的に多く使用されている乾式現像剤供給装置（方法）▲３▼
【考案を実施するための形態】
【００１５】本考案の乾式現像剤供給装置は浸透探傷検査の乾式現像処理工程において、乾式現像装置に取り付けて使用される。
【実施例】
【００１６】以下、添付図面１にしたがって一実施例を説明する。
乾式現像剤（Ｄ）は現像剤容器（１）の底部に設置されたスクリューフィーダー（２）が回転することによりキャップ（３）に運ばれる。それと同時に、現像剤容器（１）からスクリューフィーダー（２）への現像剤供給を促進するためバイブレーター（５）が作動する。【００１７】同時にインジェクター（４）による吸引が開始されることにより、キャップ（３）に送られた乾式現像剤（Ｄ）はチューブを経由しインジェクターに吸引される。吸引された乾式現像剤はそのまま乾式現像装置（Ｂ）内に噴霧される。キャップ（３）には大気開放された穴（３−１）があり、スクリューフィーダー（２）内や現像剤容器（１）の中の現像剤が吸引されること防ぐ。【００１８】本考案において圧縮エアはインジェクター（４）およびバイブレーター（５）の作動にのみ使用されるため、現像剤容器（１）内の乾式現像剤（Ｄ）の圧縮エアへの曝露がないため、圧縮エアに含まれる水分による乾式現像剤の湿潤を防ぐことを実現することが出来る。
【符号の説明】
【００１９】Ｂ  乾式現像装置
Ｄ  乾式現像剤
１  現像剤容器
２  スクリューフィーダー
３  キャップ
３−１  大気開放された穴
４  インジェクター
５  バイブレーター
【図１】
0003233414.tif 000003
【図２】
0003233414.tif 000004
【図３】
0003233414.tif 000005
【図４】
0003233414.tif 000006